(57)【要約】【課題】締め具とベルトとを備えるアセンブリにおいて、締結のために係合される部分の磨耗を減少またはなくして、締め付け効率を改善する。【解決手段】締め具１５は、ベース３３と、引き込みレバー４３と、ラチェット４０とを備える。ベルト１４の歯列２７の歯２９において、歯２９の捕捉面３０の接線であると共にベルト１４に対して平行である少なくとも１本の直線ｄ１、ｄ２が、ベルト１４の長手方向Ｌ１４に対して９０度未満の角度α１、α２をなす。レバー４３の引き込み端４５が、ベルト１４の歯２７と協働するようになっている。ラチェット４０の保持領域４２が、ベルト１４の歯２７と協働するようになっている。【選択図】図６
2010148881.tif 000002
【特許請求の範囲】
【請求項１】
締め具（１５）とベルト（１４）とを備えるアセンブリであって、該ベルト（１４）は、長手方向（Ｌ１４）に沿って取付端（２５）から自由端（２６）まで延在し、かつ歯列（２７）を備え、前記締め具（１５）は、ベース（３３）と、引き込みレバー（４３）と、ラチェット（４０）とを備え、該レバー（４３）は、前記ベース（３３）上に連結されると共に、第１の方向に沿って前記ベルト（１４）を引き込む引き込み端（４５）と操作端（４４）とを有し、前記ラチェット（４０）は、前記ベース（３３）上に連結されると共に、前記第１の方向とは反対の方向である第２の方向に前記ベルト（１４）が変位することを防止する保持領域（４２）を有し、弾性手段が、前記ラチェット（４０）の前記保持領域（４２）を前記ベース（３３）に向かって常に付勢する、締め具とベルトとを備えるアセンブリにおいて、
前記ベルト（１４）の前記歯列（２７）の少なくとも１つの歯（２９）について、該歯（２９）の捕捉面（３０）の接線であると共に前記ベルト（１４）に対して平行である少なくとも１本の直線（ｄ１、ｄ２）が、前記ベルト（１４）の前記長手方向（Ｌ１４）に対して９０度未満の角度（α１、α１）をなすようにされており、前記レバー（４３）の前記引き込み端（４５）は、前記ベルト（１４）の前記歯列（２７）と協働するようにされており、前記ラチェット（４０）の前記保持領域（４２）は、前記ベルト（１４）の前記歯列（２７）と協働するようにされていることを特徴とする、締め具とベルトとを備えるアセンブリ。
【請求項２】
前記ベルト（１４）の前記歯列（２７）と協働する前記レバー（４３）の引き込み端は歯（４６）を有し、前記レバーの前記歯（４６）の捕捉面（６０）の接線であると共に前記ベルト（１４）に対して平行である少なくとも１本の直線（ｄ３、ｄ４）が、前記ベルトの長手方向（Ｌ１４）に対して９０度未満の角度（α３、α４）をなすことを特徴とする、請求項１に記載のアセンブリ。
【請求項３】
前記ベルト（１４）の前記歯列（２７）と協働する前記ラチェット（４０）の前記保持領域は歯を有し、前記ラチェットの前記歯（４２）の捕捉面（７０）の接線であると共に前記ベルト（１４）に対して平行である少なくとも１本の直線（ｄ５、ｄ６）が、前記ベルトの長手方向（Ｌ１４）に対して９０度未満の角度（α５、α６）をなすことを特徴とする、請求項１又は２に記載のアセンブリ。
【請求項４】
前記ベルト（１４）の歯（２９）、前記ラチェット（４０）の歯（４２）又は前記レバー（４３）の歯（４６）は、ほぼＶ字形状を有することを特徴とする、請求項１ないし３のいずれか一項に記載のアセンブリ。
【請求項５】
前記ベルト（１４）の歯（２９）、前記ラチェット（４０）の歯（４２）又は前記レバー（４３）の歯（４６）の前記Ｖ字形状のＶ字の角度は、６０度〜１７０度であることを特徴とする、請求項４に記載のアセンブリ。
【請求項６】
前記ベルト（１４）の歯（２９）、前記ラチェット（４０）の歯（４２）又は前記レバー（４３）の歯（４６）は、実質的に湾曲形状を有することを特徴とする、請求項１ないし３のいずれか一項に記載のアセンブリ。
【請求項７】
前記ベルト（１４）の歯（２９）、前記ラチェット（４０）の歯（４２）又は前記レバー（４３）の歯（４６）は、交互の小面（１０１、１０２、１０３、１０４）を有することを特徴とする、請求項１ないし３のいずれか一項に記載のアセンブリ。
【請求項８】
前記ベルト（１４）の歯（２９）、前記ラチェット（４０）の歯（４２）又は前記レバー（４３）の歯（４６）は、横断方向において対称であることを特徴とする、請求項１ないし７のいずれか一項に記載のアセンブリ。
【請求項９】
前記締め具を解放する解放ボタンを有し、前記引き込みレバー（４３）及び前記解放ボタン（５０）はそれぞれ、異なる軸（４７、５４）に沿って連結されることを特徴とする、請求項１ないし８のいずれか一項に記載のアセンブリ。
【請求項１０】
前記締め具を解放する解放ボタンを有し、前記引き込みレバー（４３）及び前記解放ボタン（５０）はそれぞれ、同じ軸（４７）に沿って連結されることを特徴とする、請求項１ないし８のいずれか一項に記載のアセンブリ。
【請求項１１】
前記ベース（３３）は、ブリッジ（３６）によって繋がれている第１のフランジ（３４）及び第２のフランジ（３５）を有し、前記レバー（４３）は、前記ベース（３３）上で前記第１のフランジ（３４）及び前記第２のフランジ（３５）間に連結され、第１の引き込み方向は、前記第１のフランジ（３４）及び前記第２のフランジ（３５）並びに前記ブリッジ（３６）に対して実質的に平行であり、前記ラチェット（４０）は、前記ベース（３３）上で前記第１のフランジ（３４）及び前記第２のフランジ（３５）間に連結され、前記弾性手段は、前記ラチェット（４０）の前記保持領域（４２）を前記ブリッジ（３６）に向かって付勢することを特徴とする、請求項１ないし１０のいずれか一項に記載のアセンブリ。
【請求項１２】
前記締め具（１５）は、前記弾性手段の作用に抗して前記ラチェット（４０）の前記保持領域（４２）への付勢を解除する解放ボタン（５０）を備えることを特徴とする、請求項１ないし８及び１１のいずれか一項に記載のアセンブリ。
【請求項１３】
前記アセンブリは、ストラップ（１１、１２）を備える固定器具（１）を含み、該ストラップ（１１、１２）の少なくとも１つが、締め具（１５）とベルト（１４）とを備えることを特徴とする、請求項１ないし１２のいずれか一項に記載のアセンブリ。
【請求項１４】
前記アセンブリはスキー靴を備え、該スキー靴は、靴底及び胴部と、該胴部を締め付けるように設けられる前記締め具（１５）及び前記ベルト（１４）とを備えることを特徴とする、請求項１ないし１２のいずれか一項に記載のアセンブリ。
【請求項１５】
前記アセンブリは二輪駆動車用の靴を備え、該二輪駆動車用の靴は、靴底及び胴部と、該胴部を締め付けるように設けられる前記締め具（１５）及び前記ベルト（１４）とを備えることを特徴とする、請求項１ないし１２のいずれか一項に記載のアセンブリ。
【請求項１６】
前記アセンブリは袋を備えることを特徴とする、請求項１ないし１２のいずれか一項に記載のアセンブリ。
【発明の詳細な説明】
【技術分野】
【０００１】
本発明は、衣類又はスポーツ用品に使用されるような、締め具とベルトとを備えるアセンブリに関する。
【背景技術】
【０００２】
上記アセンブリは、靴の折り返し部分又は生地等のような要素を可逆的に締め付けるのに役立つものである。
【０００３】
本発明によるアセンブリは、例えば、スノーサーフィン、すなわちスノーボードの分野に適用される。スノーボードのいくつかの固定器具またはビンディングは、ブーツを固定器具のベース上に着脱可能に保持するための１つ又は複数のストラップを備える。
【０００４】
ストラップは、概して、カバーと、カバーに連結されるラチェット締め具とを備える。ストラップの長さは、締め具によってベルトをカバーに対して変位させることで調節される。この目的で、締め具のレバーによってストラップを短縮することが可能になっており、レバーが作動していないときにはラチェットがストラップの延伸を防止する。必要な場合に、解放ボタンによってラチェットを作動させることで、ストラップの延伸、又はベルト及びカバーの分離によるストラップの開放が行われる。この動作は、締め具のユーザ、すなわち、スノーボードを行う人物であって、ストラップの張りを緩めたいと思っているか、又はブーツを固定器具から解放したいと思っている人物によって望まれる行為である。
【０００５】
ベルトのストラップの大部分は歯列を備える。したがって、ストラップの締め付け方向にベルトを付勢することを目的として、レバーの引き込み端が、ベルトの歯列と協働するように設けられる１つ又は複数の歯を有する。当然、ラチェットは、ストラップの延伸又は開放を防止するためにも歯列と協働する。
【０００６】
このタイプのストラップは概して、特に実施が容易であることから、好評的に使用されている。しかし、いくつかの不都合な点が挙げられる。
【０００７】
例えば、時間に経過とともに、とりわけ、ストラップによって最もきつく締め付けられる部分において歯列に摩耗が認められるようになる。また、歯が締め付けの際に抜け得る方向においてベルトの歯列に対するレバーの引き込み端の捕捉が不完全になることがしばしばある。
【０００８】
また、ストラップの締め付け度合いの漸進性の欠如も認められる。この欠如は、歯の摩耗に伴って助長される。
【０００９】
さらに、時間の経過により、すなわち、摩耗が助長されると、締め付けを誘起するのに必要なエネルギーが増大する。言い換えれば、ストラップを締め付けるのに徐々に労力がかかるようになる。
【発明の概要】
【発明が解決しようとする課題】
【００１０】
このため、本発明は特に歯列の摩耗を減じ又は無くすことを目的とする。本発明は、ベルトの歯列によるレバーの引き込み端の捕捉を最適化することを目的とする。本発明は、ストラップの締め付けの漸進性を改善することも目的とする。最後に、本発明は、締め付けの効率を改善することも目的とする。
【課題を解決するための手段】
【００１１】
この目的のため、本発明は、締め具とベルトとを備えるアセンブリであって、該ベルトは、長手方向に沿って取付端から自由端まで延びると共に歯列を備え、締め具は、ベースと、引き込みレバーと、ラチェットとを備え、該レバーは、ベース上に連結されると共に、一方では第１の方向に沿うベルトの引き込み端を有し、他方では操作端を有し、ラチェットは、ベース上に連結されると共に、第１の方向とは逆の第２の方向に沿ったベルトの変位を防止するように設けられる保持領域を有し、弾性手段が、ラチェットの保持領域をベースに向かって常に付勢する、アセンブリを提供する。
【００１２】
本発明によるアセンブリは、ベルトの歯列の少なくとも１つの歯について、該歯の捕捉面の接線であると共にベルトに対して平行である少なくとも１本の直線が、ベルトの長手方向に対して９０度未満の角度をなすこと、レバーの引き込み端が、ベルトの歯列と協働するようになっていること、及びラチェットの保持領域が、ベルトの歯列と協働するようになっていることを特徴とする。
【００１３】
本発明による歯列の歯は、従来技術のベルトの幅に等しい幅を有するベルトであっても、より長い能動部分を有する。これは、言い換えれば、歯の能動長さがベルトの幅より長いことを意味する。結果的に、歯の能動表面は、レバーの引き込み端と接触する表面であるのだが、これは従来技術のベルトの歯の場合よりも大きい。
【００１４】
従って、特にアセンブリの締め付けの間、歯にかかる接触圧力が減少する。当然、この圧力減少は、従来技術の装置を備えるアセンブリに対して考慮されるものである。
【００１５】
結果的として生じる利点のうち、特に歯の摩耗の大幅な減少を挙げることができる。同様の観点から、レバーの引き込み端の摩耗も減少される。必然的に、接触圧力が減少することによって歯とびが回避される方向において、ベルトの歯列によるレバーの引き込み端の捕捉が改善される。
【００１６】
別の利点は、歯の形状に関する。実際、ベルトを長手方向に追っていくと、与えられた歯の少なくとも一部が、横断方向に後続の歯の一部の高さにあることが認められる。これによって、レバーがベルトに加える締め付けの力が、１つの歯から別の歯へ漸進的に移行するようになる。言い換えれば、締め付けはより漸進的であり、ユーザ側に必要とされる締め付けの労力がより少ない。
【００１７】
圧力が減少することによってベルトに対するレバーの摩擦が減少するため、締め付け効率の改善も認められる。
【００１８】
また、締め具は解放ボタンを備えるように構成してもよく、ベースは、ブリッジによって繋がっている第１のフランジ及び第２のフランジを有し、レバーは、ベース上でフランジ間に連結され、第１の引き込み方向は、フランジとブリッジとに対して実質的に平行であり、ラチェットは、ベース上でフランジ間に連結され、弾性手段は、ラチェットの保持領域をブリッジに向かって付勢し、且つ解放ボタンは、弾性手段の作用に抗してブリッジに対してラチェットの保持領域が離れるように設けられることが理解されるであろう。さらに言えば、解放ボタンは、ラチェットの保持領域を弾性手段の作用に抗するように付勢するように設けられる。
【００１９】
当該構成は、広く普及している操作標準規格に対応する。
【００２０】
本発明の他の特徴及び利点が、非限定的な実施形態、すなわち本発明が実現され得る方法によって、添付の図面を参照して以下の説明からより良く理解されるであろう。
【図面の簡単な説明】
【００２１】
【図１】本発明の第１の実施形態による、ストラップを備えるスノーボードの固定器具の斜視図である。
【図２】図１の固定器具の第１のストラップの部分的な側面図である。
【図３】図１の長手方向Ｌ１に沿った、第１のストラップの断面図である。
【図４】締め具がベルトを引き込んだ場合の、図３と同様の断面図である。
【図５】締め具がベルトを解放した場合の、図３と同様の断面図である。
【図６】締め具がベルトを保持した場合の、締め具をより良く示す、図１の部分的な拡大図である。
【図７】ベルトが締め具の引き込みレバーの２つの歯によって付勢されていると共に、ラチェットによってベルトの前進が許されている場合の、第１のストラップのベルトの底面概略図である。
【図８】ベルトが引き込みレバーの１つのみの歯によって付勢されていると共に、締め具のラチェットによってベルトの後退が防止されている場合の、図７と同様の図である。
【図９】本発明の第２の実施形態による、図３と同様の図である。
【図１０】本発明の第３の実施形態による、ベルトの上面斜視図である。
【図１１】本発明の第４の実施形態による、ベルトの上面斜視図である。
【発明を実施するための形態】
【００２２】
スノーボードの分野で使用されるアセンブリを以下で説明するが、上述したように本発明は他の分野にも適用されることを理解されたい。
【００２３】
次に、図１〜図８を参照して第１の実施形態を説明する。
【００２４】
図１に示されるように、アセンブリが、不図示のブーツを板３上に保持するように設けられるスノーボードの固定器具１を備える。
【００２５】
既知のように、固定器具１は、支承板４、並びに、アーチ７によって互いに繋がっている外縁５及び内縁６を有する。
【００２６】
支承板４は、固定器具の長手方向Ｌ１に沿って前端８から後端９まで延びる。
【００２７】
第１のストラップ１１及び第２のストラップ１２は、ブーツを固定器具１上に着脱可能に保持するように設けられる。便宜上、第１のストラップ１１のみを以下で説明する。
【００２８】
限定するものではないが、第１のストラップ１１は、例えば、カバー１３と、ベルト１４と、ベルトの締め具１５とを備える。
【００２９】
カバー１３は、例えば、柔軟な材料から成る１つ又は複数の層を備えており、取付端２０から自由端２１まで延びる。当然、取付端２０は、例えば、継手によって内縁６に連結されている。カバー１３は、長さを調整するように構成されている複数の片を備えることができる。
【００３０】
ベルト１４は、その長手方向Ｌ１４に沿って取付端２５から自由端２６まで延びる。この場合、取付端２５は、例えば、継手によって外縁５に連結されている。
【００３１】
ここで、ベルト１４は、アーム（腕部）２８上に配置されている歯列２７を備えている。歯列２７及びアームは単一ブロック片を形成しており、これはプラスチック材料から成ることが好ましい。歯列２７は、規則的な間隔で配置されている一連の歯２９から成る。各歯２９は、以下で明らかになるように締め具１５と協働するように設けられる捕捉面３０及び係合面３１を有する。面３０及び３１の接合部は、歯２９の頂点をなすエッジを形成する。捕捉面３０は、ベルト１４に対して垂直の向きになっており、それによって、締め具１５の他の構成部材に安定して捕捉される。
【００３２】
次に、締め具１５の構造及び機能を図２〜図８を参照して説明する。
【００３３】
締め具１５は、図２では側方から示されている。締め具１５は、ベルト１４を案内するように設けられるＵ字形状のベース３３を備える。ベース３３は、ブリッジ３６によって繋がっている第１のフランジ３４及び第２のフランジ３５を備える。
【００３４】
ベース３３は、例えば、締め具１５が自由端２１の高さにあるように、軸を有するリベット３７によってカバー１３に連結される。
【００３５】
図３に示されるように、締め具１５は、軸４１に沿ってフランジ３１及び３２間に連結されているラチェット４０を備える。ばねのような不図示の弾性手段が、ラチェットの保持領域４２がブリッジ３６に向かって押されるように、ラチェット４０を常に付勢する。保持領域４２は、歯の形態で示されている。
【００３６】
引き込みレバー４３が、その一端において操作端４４を有し、他端においては少なくとも１つの歯４６を備える引き込み端４５を有する。引き込みレバー４３は、軸４７に沿ってフランジ３４及び３５間に連結される。ばねのような不図示の弾性手段が、操作端４４がブリッジ３６に向かって押されるように、レバー４３を常に付勢する。
【００３７】
解放ボタン５０が、ラチェット４０のカム５２の表面を押圧するように設けられるカム５１の表面と、手動で作動されるように設けられる操作端５３を有する。解放ボタン５０は、軸５４に沿ってフランジ３４及び３５間に連結される。引き込みレバー４３及び解放ボタン５０はそれぞれ、異なる軸４７及び５４に沿って連結されることに留意されたい。
【００３８】
概して、本発明の第１の実施形態によると、ラチェット４０の軸４１と、レバー４３の軸４７と、ボタン５０の軸５４とは、互いに平行である。これらの軸４１、４７及び５４は、締め具１５の横断方向Ｗ１５に沿った向きになっている。この方向Ｗ１５は、ブリッジ３６と平行であり、ベルト１４が締め具１５に導入されるときにベルト１４の横断方向Ｗ１４と重なる。当然、ベルト１４の横断方向Ｗ１４はベルトに対して平行であり、ベルトの長手方向Ｌ１４に対して垂直である。
【００３９】
外部からの付勢が全くなければ、締め具１５の構成要素は、図３に示されているようにそれぞれの配置に付いている。
【００４０】
ベルト１４がフランジ３４及び３５間において、ベース３３にブリッジ３６の長さを有するように、ラチェット４０がストラップ１１の延伸を防止する。これは、ベルト１４の自由端２６が、ベース３３の内側エッジ５６から外側エッジ５７に向かう方向に変位することができないことを意味する。
【００４１】
これに対し、逆方向の変位は可能である。この変位は、図４の場合のようにユーザによって誘起され得る。
【００４２】
引き込みレバー４３は、歯４６がベルト１４を引き込むようにその端部４４を介して作動される。この場合、ベルト１４の自由端２６は、外側エッジ５７から内側エッジ５６に向かう方向に変位する。これは、ストラップ１１が短くなることを意味し、ブーツの締め付けがきつくなる。
【００４３】
反対に、ユーザがストラップを緩めたい場合、又はさらに、ストラップを解いてブーツを脱ぎたい場合、ユーザは図５に示されている通りにすればよい。
【００４４】
この場合、引き込みレバー４３は付勢されず、その操作端４４はブリッジ３６に対して最も近い配置に付く。ユーザは、例えば、指で解放ボタン５０の操作端５３を作動させる。
【００４５】
ボタン５０のカム５１の表面は、ラチェット４０の保持領域４２がブリッジ３６及びベルト１４から離れるように、ラチェット４０のカム５２の表面を押圧する。ラチェット４０がベルト１４と係合していないため、ストラップ１１は延伸することができる。
【００４６】
当然、ボタン５０の作動を止めればすぐにラチェット４０は保持位置に戻りベルトと係合する。
【００４７】
締め具１５の構造によってもたらされる１つの利点は、解放ボタン５０を手動で作動させればストラップ１１が延伸し、開くことである。
【００４８】
本発明によると、特に図１及び図６〜図８を参照すれば分かるように、ベルト１４の歯列２７の少なくとも１つの歯２９について、歯２９の捕捉面３０の接線であると共にベルト１４に対して平行である少なくとも１本の直線ｄ１、ｄ２とベルトの長手方向Ｌ１４とが９０度未満の角度α１、α２をなし、レバー４３の引き込み端４５が、ベルト１４の歯列２７と協働するようになっており、ラチェット４０の保持領域４２が、ベルト１４の歯列２７と協働するようになっている。
【００４９】
少なくとも１つの歯２９について、捕捉面３０の少なくとも一部が長手方向Ｌ１４に対して垂直とされていない、とも言える。
【００５０】
従来技術のストラップに対して、本発明の締め具１５及びベルト１４は、引き込みレバー４３とベルトとの間、又はラチェット４０とベルトとの間に隆起した捕捉表面を提供する。もちろん、同様の寸法との、すなわち、同様の大きさの締め具及びベルトについての比較がなされ、その結果、各歯にかかる接触圧力は、ベルト、引き込みレバー又はさらにはラチェットに対するものであろうと減少する。
【００５１】
結果的として生じる利点の１つとして、歯の摩耗が減少すること、又はさらには歯の摩耗が無くなることが言える。従って、特にストラップの締め付け時の歯とびが軽減され、又は無くなりさえもする。また、本発明による構成は、締め付けの漸進性を増加させる。さらには、その後、ベルトと締め具との間の摩擦が減ることが評価される。これは、締め付け効率を改善する。
【００５２】
本発明の第１の実施形態によると、ベルト１４の歯列２７と接するレバー４３の歯４６について、レバーの歯４６の捕捉面６０の接線であると共にベルト１４に対して平行である少なくとも１本の直線ｄ３、ｄ４が、ベルトの長手方向Ｌ１４に対して９０度未満の角度α３、α４をなす。
【００５３】
同様の観点から、ベルト１４の歯列２７と接するラチェット４０の保持領域４２について、ラチェットの保持領域４２の捕捉面７０の接線であると共にベルト１４に対して平行である少なくとも１本の直線ｄ５、ｄ６が、ベルトの長手方向Ｌ１４に対して９０度未満の角度α５、α６をなす。
【００５４】
図７及び図８による図は、ベルト１４、ラチェット４０及びレバー４３に関する参照符号をまとめて示している。ベルト１４の歯２９、ラチェット４０の保持領域４２、及びレバー４３の歯４６は、同一又は同様の形状である。特に、ラチェット４０の保持領域である歯４２、及びレバー４３の歯４６はそれぞれ、ベルトの歯２９と類似の形状を有するように設けられる。これによって、ベルトによるラチェット及び／又はレバーの確実な捕捉が可能になる。
【００５５】
本発明の第１の実施形態によれば、限定を意図するものではないが、ベルト１４の歯２９、ラチェット４０の保持領域である歯４２、及びレバー４３の歯４６はそれぞれ、実質的にＶ字形状を有する。言い換えれば、歯の実質的な形状は山形である。この形状により、ベルト１４は、ストラップ１１の締め付けの間にほとんど又は全く締め具１５のフランジ３４及び３５に摩擦を生じない。このことはＶ字形状によってベルト１４の中心がフランジ３４及び３５間に位置することになるとも言える。有利にも、締め付け効率は良くなる。
【００５６】
便宜上、ベルト１４の歯２９を以下にさらに詳述する。しかし、ベルト１４の歯２９について説明することは、ラチェット４０の保持領域である歯４２又はレバー４３の歯４６に適用されることは明らかである。
【００５７】
特に図７及び図８に示されているように、歯の２９の捕捉面３０は、第１の小面８１及び第２の小面８２を有する。各小面８１及び８２は、捕捉面３０の直線部分を有する。当然、小面８１及び８２の接合部は、Ｖ字の頂点を形成する。捕捉面３０がベルト１４の表面に対して垂直である場合、小面８１及び８２は、ベルトに対して垂直である。これは、ラチェット４０によるベルト１４の保持と同様に、レバー４３からの締め付けの力の伝達を改善する。必然的に、係合面３１は、長手方向Ｌ１４に沿って係合面３１がアーム２８と共に１０度〜７０度の角度をなす方向に傾斜している。各歯２９の係合面が、ストラップ１１の締め付けの間にラチェット４０を押圧する。
【００５８】
限定するものではないが、歯列２７は、横断方向に対称であるように設けられる。したがって、各歯２９は、ベルト１４の長手方向中心軸（参照符号Ｌ１４によって示される）に対して横断方向に対称である。必然的に、小面８１及び８２の接合部は、ベルト１４の第１の横断縁８３と第２の横断縁８４との中間にある。これは、上記のように、締め付けの効率を改善し、その上、締め付けのより確かな規則性をももたらす。実際には、ベルト１４は、締め具１５において引き込みレバー４３の作動中により規則的に進む。
【００５９】
実際、レバー４３によるベルト１４の引き込みの途中段階では、図７に認められるように、レバー４３の隣接する歯４６の中央部分９３がベルト１４の隣接する歯２９によって捕捉されながら、レバー４３の基準歯４６の外側部分９１及び９２がベルト１４の基準歯２９によって捕捉される。総じて、捕捉面３０及び６０の有益な表面が、隣接する２つの歯２９及び４６上に分配されることで、常にこの有益な表面全体が使用される。
【００６０】
ベルト１４の引き込みの別の途中段階では、図８から分かるように、レバー４３の歯４６の全体がベルト１４の歯２９によって捕捉される。ここでもまた、捕捉面３０及び６０の有益な表面全体が使用される。
【００６１】
したがって、要約すると、ストラップ１１の締め付けは、ベルトの歯とレバーの歯との規則的な一連の捕捉である。
【００６２】
ベルト１４の各歯２９が、ベルトの全幅、すなわち第１の横断縁８３から第２の横断縁８４まで延びることに留意されたい。
【００６３】
ベルト１４の歯２９のＶ字の角度は、６０度〜１７０度であり、また、１２０度〜１４０度の角度値が非常に好都合である。従って、角度α１及びα２は、３０度〜８５度である。歯２７は横断方向に対称であるため、角度α１及びα２は、同じ値である。
【００６４】
同様に、上記のように、ラチェット４０の歯４２及びレバー４３の歯４６のＶ字の角度は、６０度〜１７０度である。また、ラチェットの歯４２及びレバーの歯４６はそれぞれ、ラチェット又はレバーの全幅にわたって延びる。さらに、ラチェットの歯４２及びレバーの歯４６はそれぞれ横断方向に、すなわち、それぞれ、継手の軸４１及び４７に対して垂直である中心軸に対して対称である。
【００６５】
次に、本発明の他の実施形態を、図９〜図１１を参照して説明する。便宜上、第１の実施形態と同じ要素は、同じ参照符号で示す。
【００６６】
第２の実施形態について、図９には、特にカバー１３と、ベルト１４と、締め具１５とを備えるストラップ１１が示されている。締め具１５自体は同様に、ラチェット４０と、レバー４３と、解放ボタン５０とを備えている。
【００６７】
第２の実施形態において特有なのは、引き込みレバー４３及び解放ボタン５０が同軸４７に沿って連結されていることである。この配置によって、締め具１５の構造が簡略化されている。
【００６８】
第３の実施形態は、図１０によれば、ベルト１４の歯２９の形状が他の実施形態とは異なる。当然、ラチェットの歯及びレバーの歯の形状は、ベルトの形状に類似している。実際、ベルト１４の歯２９、ラチェット４０の歯４２、及びレバー４３の歯４６はそれぞれ、特に捕捉面３０の高さに、実質的に湾曲した形状を有する。例えば、円形部分又は放射状部分等が挙げられる。湾曲した形状は、各歯、特に捕捉面３０に連続性をもたらす。ここでもまた、各歯は横断方向に対称である。
【００６９】
第４の実施形態は、図１１によれば、ベルト１４の歯２９の形状が他の実施形態とは異なる。この場合も、ラチェットの歯及びレバーの歯の形状は、ベルトの形状と類似している。ベルト１４の歯２９、ラチェット４０の歯４２、及びレバー４３の歯４６はそれぞれ、特に捕捉面３０の高さに、交互の小面１０１、１０２、１０３及び１０４を有する。限定するものではないが、交互の小面１０１、１０２、１０３及び１０４は、２つの連続した山形を形成するように横断方向に規則的に配置される。第１の実施形態の場合と同じ利点が得られる。
【００７０】
概して、本発明の構成要素は、当業者に既知の材料及び技術を使用して作製される。
【００７１】
当然、本発明は、上記実施形態に限定されず、添付の特許請求の範囲に含みうるあらゆる技術的な均等物を含む。
【００７２】
例えば、大抵の場合、捕捉面の幅がベルト、ラチェット又は引き込みレバーの幅よりも長くなるように別の形状の歯を設けてもよい。
【００７３】
歯は、並列した別個の複数の片を備えてもよい。
【００７４】
歯は、ベルト、ラチェット又は引き込みレバーの幅よりも短い範囲上を横断方向に延びてもよい。
【００７５】
歯は、横断方向に対称でなくてもよい。
【００７６】
また、締め具は、複数のラチェットを備えてもよい。
【００７７】
引き込みレバー４３によりベルト１４を直接的に引き込むことを説明した。しかし、代替的に、引き込みレバーは、ベルト１４を間接的に引き込むようにしてもよい。例えば、締め具が、引き込みレバーとベルトとの間に配置される歯車を備えてもよい。この場合、ラチェットを、歯車と協働するように構成することができる。
【００７８】
なお、解放ボタンを使用しない態様も考えられる。この場合、引き込みレバー及びラチェットは、タイロッドによってベースと繋がっていて、タイロッドの回転によってベルトがラチェットから分離し、これによって、ベルトが解放されるようにしてもよい。
【００７９】
概して、本発明によるアセンブリが、ストラップを有している、例えば、スノーボードの固定器具を備えることを説明した。この場合には、少なくとも１つのストラップが、締め具とベルトとを備える。当然、アセンブリは、靴底及び胴部を備えるあらゆる靴と、胴部を締め付けるように設けられる締め具及びベルトとを備えてもよい。例えば、アセンブリは、スキー靴、二輪駆動車用の靴、消防用の靴、警備用の靴、又は軍事用の靴等を備えてもよい。
【００８０】
また、アセンブリは、袋を備えてもよい。
【図１】
2010148881.tif 000003
【図２】
2010148881.tif 000004
【図３】
2010148881.tif 000005
【図４】
2010148881.tif 000006
【図５】
2010148881.tif 000007
【図６】
2010148881.tif 000008
【図７】
2010148881.tif 000009
【図８】
2010148881.tif 000010
【図９】
2010148881.tif 000011
【図１０】
2010148881.tif 000012
【図１１】
2010148881.tif 000013